(57)【要約】      （修正有）【課題】芳香剤等の薬剤は外気温により蒸発量が異なるが、蒸発量を一定に、あるいは適度に保つために、容器用の蓋の開孔の面積を温度に応じて調節することができる簡単な構造の薬剤容器用の蓋を提供する。【解決手段】芳香剤を入れた容器１の上口部に取付けられ、複数の下開孔８を有する蓋本体２、複数の上開孔を有し、蓋本体に回動自在に枢着された調節円板４、一端を蓋本体２に固定し、他端を調節円板４に設けた一対の支持柱７，７の間に挿通したバイメタル５および前記蓋本体２、調節円板４およびバイメタル５を覆う外蓋１２からなり、前記バイメタル５の熱変形により、調節円板４を回動させて上開孔と下開孔８との角度位置を変化させることを可能にして構成する。【選択図】図１
0003150637.tif 000002
【実用新案登録請求の範囲】
【請求項１】
芳香剤を入れた容器１の上口部に取付けられ、複数の下開孔８を有する蓋本体２、複数の上開孔９を有し、該蓋本体２の上に回動自在に載置した調節円板４、一端を蓋本体２に固定し、他端を調節円板４に設けた一対の支持柱７、７の間に挿通したバイメタル５、および前記蓋本体２、調節円板４およびバイメタル５を覆う外蓋１２からなり、前記バイメタル５は周囲温度の変化に応じて湾曲変形することによって調節円板４を回動させ、上開孔９と下開孔８との角度位置を調節し、両開孔８、９の開度を自動的に調節することを特徴とする芳香剤容器用の蓋。
【請求項２】
下開孔８は蓋本体２の円形凹部３に形成された適宜の形状の複数の開孔であり、上開孔９は調節円板４に形成された複数の開孔であり、かつ円形凹部３と調節円板４とを軸１０によって回動自在に枢着してなることを特徴とする請求項１に記載の芳香剤容器用の蓋。
【考案の詳細な説明】
【技術分野】
【０００１】
本考案は、芳香剤等の薬剤を入れた容器の開口部に装着する蓋の組立体に関するものであり、芳香剤入り容器の使用中に、周囲の温度変化に応じて自動的に容器開口部の開度を調節して、容器内の芳香剤の放散量を調節することを可能にした容器用の蓋である。
【背景技術】
【０００２】
芳香剤等の薬剤は、周囲の温度の高低に応じて放散量（蒸発量）を増減して芳香効果を調節することが望ましい。例えば、自動車の室内では、夏場は室内が高温度になるので芳香剤の放散量が過大になり、芳香が強過ぎて不快感を与えたり、臭覚が麻痺して芳香を感じなくなることがある。逆に周囲温度が低い冬場には、芳香剤の放散量が少なくなり、芳香効果あるいは消臭効果が不充分になる。したがって、常に芳香剤の放散量を適当に保つためには、高温時には容器の開口部の面積を小さくして放散量を抑制し、反対に低温時には開口面積を大きくして薬剤が放散され易くすることが必要である。
【０００３】
このような薬剤の放散量の調節を目的とする考案としては、容器の開口部の開閉を調節するために形状記憶合金製のばね材やバイメタル材を開口蓋に取付けて、感熱材料の熱変形により蓋を開閉するもの（非特許文献１、２、３）、ピアノ線と形状記憶合金とを組み合わせた開閉治具を用い、その変形により開口部の開度を調節するもの（非特許文献４）、あるいはヒーター電源のオンオフにより感熱材料の変形をコントロール板を介して蓋の開閉に利用するもの（特許文献１）等、種々の提案がなされている。しかし、いずれの方法においても、感熱材料の熱変形を放散口の開閉に間接的に連動させるので、開口部の構造が複雑になっている。そのために、放散用開口部の開度を簡単にかつ微妙に調節するために、構造が簡単で、しかも作動が容易で確実なものが求められている。
【先行技術文献】
【特許文献】
【０００４】
【特許文献１】特開２００２−２８２３４７号公報
【非特許文献】
【０００５】
【非特許文献１】実開昭６２−９９２４７号公報
【非特許文献２】実開平２−８６５４６号公報
【非特許文献３】実開平２−８６５４７号公報
【非特許文献４】実開昭６２−２０８４８号公報
【考案の概要】
【考案が解決しようとする課題】
【０００６】
本考案は上記のような問題点を解消するためになされたもので、構造が簡単で、しかも比較的精度良く開口部の開度を調節することが可能な芳香剤容器用の蓋を提供するものである。
【課題を解決するための手段】
【０００７】
本考案の芳香剤容器用の蓋は、容器の上口部に取付けた蓋本体、該蓋本体の円形凹部の上に同心的に載置して回動自在に枢着した調節円板、一端を前記蓋本体に固定し、他端を調節円板の支持柱に挿通したバイメタルおよび前記蓋本体、調節円板およびバイメタル等を覆う外蓋からなり、前記バイメタルは周囲温度の変化に応じて湾曲変形することにより、蓋本体の円形凹部の面上で調節円板を回動させて、円形凹部と調節円板との相互の角度を変化させることによって、円形凹部と調節円板とにそれぞれ設けた上下開孔の開度を自動的に調節することを特徴とするものである。
【考案の効果】
【０００８】
本考案の芳香剤容器用の蓋は、構造が簡単で、薬剤容器の本体に蓋として取付けることができる。この蓋は、バイメタル等の熱変形素子の変形を直接蓋の開孔の開閉動作に伝達することによって、芳香剤の蒸発量を容易かつ確実に調節することが可能となる利点を有する。
【図面の簡単な説明】
【０００９】
【図１】図１は本考案の芳香剤容器用の蓋を容器に装着した状態を示す一実施例の縦断面図である。
【図２】図２（ａ）から（ｃ）は、前記容器の蓋の平面図であり、図２（ａ）は周囲温度が常温で開孔が全開した状態を示し、図２（ｂ）は温度が少し上昇して開孔が半開きになった状態を示し、図２（ｃ）は周囲温度がさらに高くなって、開孔が閉鎖した状態を示す。
【考案を実施するための形態】
【００１０】
以下に、本考案の一実施例を図１および図２（ａ）、（ｂ）、（ｃ）に基づき詳細に説明する。
【実施例】
【００１１】
図１は本考案の芳香剤容器用の蓋を容器に装着した状態を示す縦断面図であり、図２（ａ）、（ｂ）および（ｃ）は芳香剤容器用の蓋の平面図である。
本考案の芳香剤容器用の蓋は、芳香剤などの薬剤を入れた容器１の上の開口部にねじを介して蓋本体２を取付ける。この蓋本体２の中央部に、円形凹部３を形成し、円形凹部３と同心円状に調節円板４を軸１０によって回動自在に枢支する。調節円板４の上にはバイメタル５を設け、その一端部を蓋本体２に形成した挿入溝６に差込み、バイメタル５の他端は調節円板４の円周上に設けた一対の支持柱７の間に摺動自在に挿通する。なお、前記蓋本体２、調節円板４およびバイメタル５を外蓋１２で覆う。外蓋１２の上面には放散孔１３を適宜の形状および配置に形成し、後記の下開孔および上開孔を経て香気を放散孔１３から周囲に放散する。
前記蓋本体２の中央の円形凹部３には、複数の扇形の下開孔８を８個を形成し、その上に載置した調節円板４にも、同様の上開孔９を８個を形成する。図には上下開孔８、９が扇形のものを示すが、芳香剤の蒸気を通過させて放散できる孔であれば扇形に限定されず、例えば同心円状に配置した円形、楕円形、長方形など適宜の形状でもよい。下開孔８および上開孔９の数も、両開孔の角度位置が変化した場合に孔の開きを変化させることができるものであればその個数は限定されない。なお、下側の円形凹部３の面に形成した下開孔８と、上側の調節円板４の面に形成した上開孔９は、図２（ａ）においては角度位置が一致しており、両開孔８、９は全開の状態になっているので、下開孔８は図上に現れていない。
【００１２】
前記バイメタル５は周囲温度の変化に応じて、蓋本体２の挿入溝６を支点として湾曲変形し、調節円板４を回動させて両開孔８、９の相互位置を変化させ開孔の開度を調節する。すなわち、図２（ｂ）においては、周囲温度がやや高くなり、バイメタル５は温度変化に応じて挿入溝６を支点として、図２（ｂ）の下側へ湾曲変形し、支持柱７、７に挟まれたバイメタル５の先端が下方へ動き、調節円板４を僅かに反時計回りに回動させて、開孔８および９からなる放散孔の開度を小さく半開きにする。
周囲温度が更に上昇すると、図２（ｃ）に示すように、バイメタル５は図の下側へ更に湾曲して、支持柱７、７に挟まれたバイメタル５の先端が更に下方へ動き、調節円板４を反時計方向に回動させる。その際、円形凹部３の下開孔８とその隣の下開孔８との間の下封止部８ａの上に形成したストッパー１１に、調節円板４の上開孔９の縁部が当接し、下開孔８および上開孔９の位置が上開孔９の幅だけずれて停止し、全ての開孔８および９が、下封止部８ａおよび上封止部９ａによって塞がれて薬剤の放散は中止される。
一方、周囲温度が低くなると、バイメタル５の屈曲状態は解消し、図２（ａ）に示すように、下封止部８ａと上封止部９ａとが上下に重なる。すなわち、下開孔８と上開孔９とが同じ位置に重なった状態になり、容器内の芳香剤の香気を放散させる。
なお、芳香剤容器１は図１に上部の口部のみを示す。この実施例において、蓋本体２は容器１の上部口部にねじを介して取付けられているが、蓋本体２を容器１に取付ける態様は任意である。
【００１３】
上記バイメタル５以外の各部材は、ＡＢＳ（アクリロニトリル−ブタジエン−スチレン）樹脂、ポリプロピレン、ポリカーボネート、その他適宜の合成樹脂で射出成形などにより成形することができる。また、感熱素子としては、略短冊状のバイメタル５により形成することが好適である。バイメタル５は異種の金属板を圧延法で貼り合わせて、熱膨張率の相違により屈曲変形する性質を利用したものであり、材料としては、低膨張側にアンバー（インバー）などを使用し、高膨張側には銅合金などが使用される。
なお、上記バイメタル５は使用目的および周囲温度に準じて、材質の構成および形状・寸法などを適宜選択することができる。例えば、一例を示すと、本考案において使用するために好適なバイメタルとしては、高膨張側はマンガン−ニッケル−銅合金を用い、低膨張側はインバー（ニッケル−鉄合金）からなるものを使用することができる。バイメタル５の寸法の例は、幅５ｍｍ、厚み０．２ｍｍ、作動長４０ｍｍである。
本考案のバイメタル５の層構成は、図２（ａ）において、低膨張金属を図の下側とし、高膨張金属を上側として使用する。バイメタル５は周囲温度が上昇すると、図２（ｃ）に示すように、蓋本体２に設けた挿入溝６を支点として下方へ湾曲して、調節円板４を反時計回りに回転させる。これにより、調節円板４の上開孔９の縁部が円形凹部３の下封止部８ａに設けたストッパー１１に当接し、上開孔９を下封止部８ａで塞いで、芳香剤の蒸散を抑制する。
【００１４】
以下、本考案の芳香剤容器用の蓋についてその作用を説明する。
図２（ａ）に示すように、周囲温度が常温付近にある場合には、バイメタル５は通常の状態で屈曲せず、蓋本体２の下開孔８および調節円板４の上開孔９が同じ角度位置で重なり合い、両開孔８、９は連通した状態となって、放散孔１３から芳香を放散する。
周囲温度がやや上昇すると、図２（ｂ）に示すように、バイメタル５は挿入溝６を支点として僅かに屈曲し、調節円板４に設けた支持柱７、７の間に挿通したバイメタル５の先端部を図の下方に押し下げる。これにより調節円板４は反時計方向に僅かに回転し、下開孔８と上開孔９との位置が相対的にずれて、開孔部が半開きの状態になって開度がやや小さくなり、放散孔１３からの芳香剤蒸気の放散量がある程度抑制される。
なお、夏の炎天下における自動車室内のように温度が更に上昇すると、図２（ｃ）に示すように、バイメタル５の変形が更に大きくなり、バイメタル５は図の下方へ湾曲して調節円板４を反時計方向に更に回動し、円形凹部３の下封止部８ａに設けたストッパー１１に調節円板４の上開孔９の縁部が当接し、下開孔８および上開孔９の位置が相互にずれて止まり、全ての開孔が塞がって芳香の放散が停止する。
【産業上の利用可能性】
【００１５】
本考案の薬剤容器用の蓋を、芳香剤等の薬剤を入れた容器の口部に取付けることにより、薬剤の放散量を周囲温度の変動に応じて自動的に調節することが可能になる。
【符号の説明】
【００１６】
１    容器
２    蓋本体
３    円形凹部
４    調節円板
５    バイメタル
６    挿入溝
７    支持柱
８    下開孔
８ａ  下封止部
９    上開孔
９ａ  上封止部
１０  軸
１１  ストッパー
１２  外蓋
１３  放散孔
【図１】
0003150637.tif 000003
【図２】
0003150637.tif 000004